(57)【要約】      （修正有）【課題】お札等のご神体を容易に収納でき、また配置場所の自由度を高めた神棚を提供する。【解決手段】神棚１００は、開口部と立体形状の装飾が施されていない平らな外壁面を有する箱状の収納部１０３と、収納部１０３の開口部に設置される右側引き戸部１０１ａと左側引き戸部１０１ｂを備えている。右側引き戸部１０１ａは、左右方向へ移動可能である。左側引き戸部１０１ｂも、右左方向へ移動可能である。【選択図】図１
0003208119.tif 000002
【実用新案登録請求の範囲】
【請求項１】
開口部と立体形状の装飾が施されていない平らな外壁面を有する箱状の収納部と、
前記収納部の前記開口部に設置される引き戸部を備え、
前記引き戸部は、左右方向へ移動可能な第一の引き戸と右左方向へ移動可能な第二の引き戸を有している、神棚。
【請求項２】
開口部と立体形状の装飾が施されていない平らな外壁面を有する箱状の収納部と、
前記収納部の前記開口部に設置される少なくとも３つの開き戸部を備えている、神棚。
【考案の詳細な説明】
【技術分野】
【０００１】
本考案は神棚に関し、特に、棚及びお宮を備える神棚に関する。
【背景技術】
【０００２】
従来、棚及びお宮を備える神棚は、様々な立体形状が施された装飾を有している。
【先行技術文献】
【特許文献】
【０００３】
【特許文献１】特開２００９−２０７８６５号公報
【考案の概要】
【考案が解決しようとする課題】
【０００４】
しかしながら、お札等のご神体を容易に収納できないという問題や配置場所が限定されるという問題があった。
【０００５】
本考案の目的は、お札等のご神体を容易に収納でき、また配置場所の自由度を高めた神棚を提供することにある。
【課題を解決するための手段】
【０００６】
上記目的を達成するための本考案の一態様によれば、
開口部と立体形状の装飾が施されていない平らな外壁面を有する箱状の収納部（例えば、収納部１０３）と、
前記収納部の前記開口部に設置される引き戸部（例えば、右側引き戸部１０１ａ及び左側引き戸部１０１ｂ）を備え、
前記引き戸部は、左右方向へ移動可能な第一の引き戸（例えば、右側引き戸部１０１ａ）と右左方向へ移動可能な第二の引き戸（例えば、左側引き戸部１０１ｂ）を有している、神棚（例えば、神棚１００）
であってもよい。
【０００７】
また、上記目的を達成するための本考案の一態様によれば、
開口部と立体形状の装飾が施されていない平らな外壁面を有する箱状の収納部（例えば、収納部２０３）と、
前記収納部の前記開口部に設置される少なくとも３つの開き戸部（例えば、右側開き戸部２０１ａ、中央開き戸部２０１ｂ、左側開き戸部２０１ｃ）を備えている、神棚（例えば、神棚２００）
であってもよい。
【考案の効果】
【０００８】
本考案によれば、お札等のご神体を容易に収納でき、神棚の配置場所の自由度を高めることができる。
【図面の簡単な説明】
【０００９】
【図１】本考案の第１の実施の形態による神棚１００の構成を説明する図である。
【図２】本発明の第２の実施の形態による神棚２００の構成を説明する図である。
【考案を実施するための形態】
【００１０】
［第１の実施の形態］
本考案の第１の実施の形態による神棚１００について、図１を用いて説明する。なお、以下の全ての図面においては、理解を容易にするため、各構成要素の寸法や比率などは適宜異ならせて図示している。
【００１１】
図１は、神棚１００の略図である。上段の図は、神棚１００を正面から見た略図であり、中段の図は、神棚１００を上方から見た略図であり、下段の図は、神棚１００を右方から見た略図である。また、図中に示す隠れ線（破線）は、右側引き戸部１０１ａ、左側引き戸部１０１ｂ、及び収納部１０３の一部の形状を示している。また、図１の上段及び中段の図は、右側引き戸部１０１ａ及び左側引き戸部１０１ｂが閉じている状態と開いている状態の両方の状態を示している。
【００１２】
神棚１００は、木材で構成された右側引き戸部１０１ａ、左側引き戸部１０１ｂ、及び収納部１０３を有している。右側引き戸部１０１ａ及び左側引き戸部１０１ｂの外側表面には、立体的形状の装飾が施されておらず、ウレタン塗装鏡面仕上げが施されている中質繊維板が用いられる。収納部１０３には、米ヒバ無垢の板材が用いられる。また、神棚１００を壁に設置する場合においては、所定の金具等で収納部１０３を壁に固定し、右側引き戸部１０１ａ及び左側引き戸部１０１ｂを収納部１０３に取り付ける。神棚１００の中心より右側引き戸部１０１ａ及び／又は左側引き戸部１０１ｂが開くことで、収納部１０３のお札等を収納する収納空間が現れるように構成されている。なお、右側引き戸部１０１ａと左側引き戸部１０１ｂは、左右対称であるため、以下の説明において左側引き戸部１０１ｂの説明を省略する。
【００１３】
収納部１０３は、天井板ｃ１、棚板ｃ２、右側面板ｃ３、左側面板ｃ４、背面板ｃ５、上枠ｅ１、及び下枠ｅ２を有し、天井板ｃ１、棚板ｃ２、右側面板ｃ３、左側面板ｃ４、及び背面板ｃ５で直方体状の箱が形成され、横長長方形状の開口面と横長直方体状の収納空間を備えている。また、天井板ｃ１の上面（前後方向における略中央の位置）にはレール部ｒ１が左端から右端にかけて設けられ、棚板ｃ２の下面（前後方向における略中央の位置）にはレール部ｒ２ａが左端から右端にかけて設けられている。レール部ｒ１は、例えば、長細直方体状の木材で構成されてもよいし、複数の長細直方体状の木材で構成されてもよい。レール部ｒ１によって、右側引き戸部１０１ａ及び左側引き戸部１０１ｂを支持するとともに、接触面積を小さくすることで右側引き戸部１０１ａ及び左側引き戸部１０１ｂとの摩擦力の適正化が行われている。また、レール部ｒ２ａは、例えば、背面が後下に向けて傾斜している長細四角柱状の木材で構成されてもよい。また、レール部ｒ１やレール部ｒ２ａは、これ以外の構成であってもよい。例えば、金属製や木製のボールベアリングやニードルベアリング等を備える構成であってもよい。
【００１４】
上枠ｅ１は、天井板ｃ１の前端面に接合され、下枠ｅ２は、棚板ｃ２の前端面に接合される。上枠ｅ１の上端は、レール部ｒ１の上端と同じ高さに位置し、下枠ｅ２の下端は、レール部ｒ２ａの下端と同じ高さに位置する。このため、右側引き戸部１０１ａ及び／又は左側引き戸部１０１ｂが開いている状態の神棚１００を略正面から見た場合において、レール部ｒ１は上枠ｅ１によって隠れ、レール部ｒ２は下枠ｅ２によって隠れるように構成されている。また、収納部１０３は、お札と榊立て、平子、水玉、皿等の神具を仕切るための仕切板ｄ１が棚板ｃ２に設けられている。
【００１５】
右側引き戸部１０１ａは、戸板ａ０、外側上面板ａ１、外側下面板ａ２、外側右側面板ａ３を有し、収納部１０３の右半分を覆うように配設される。外側上面板ａ１とレール部ｒ１が接触し、外側上面板ａ１がレール部ｒ１を右左方向に滑走可能となるように構成される。また、外側下面板ａ２にはレール部ｒ２ａと接触する位置にレール部ｒ２ｂが左端から右端にかけて設けられている。レール部ｒ２ｂは、例えば、前面が後下に向けて傾斜している長細四角柱状の木材で構成されてもよい。レール部ｒ２ａの背面とレール部ｒ２ｂの前面を合わさるように右側引き戸部１０１ａを配設することで、右側引き戸部１０１ａの前方への移動を制限させると共に、右側引き戸部１０１ａの左右方向の移動を補助させている。
【００１６】
戸板ａ０の上端は、外側上面板ａ１の上端よりも上方に位置し、戸板ａ０の右端は、外側右側面板ａ３の右端よりも右方に位置し、戸板ａ０の下端は、外側下面板ａ２の下端よりも下方に位置することで、戸板ａ０の端の部分を指で摘むことが可能である。このため、取っ手を設けなくても、右側引き戸部１０１ａを容易に開閉させることができる。
【００１７】
神棚１００は、上記実施の形態に限らず種々の変形が可能である。例えば、所定の電源（例えば、家庭用の電源や電池等）、駆動部を用いて、電動で右側引き戸部１０１ａ及び左側引き戸部１０１ｂの開閉動作が行われるように構成されてもよい。また、神棚１００に音センサや人感センサを搭載することで、神棚１００の前で所定の動作（例えば、所定の位置で二拍手、三拍手、あるいは四拍手する動作）が行われると右側引き戸部１０１ａ及び左側引き戸部１０１ｂの開閉動作が行われるように構成されてもよい。人感センサによって、人が所定の位置に位置していることを検知し、音センサによって、所定の回数の拍手が行われたことを検知し、これらの情報を基に所定の動作が行われたかどうかを判定する判定／制御部を設けると共に、判定／制御部によって右側引き戸部１０１ａ及び左側引き戸部１０１ｂの開閉動作の制御を行うように構成してもよい。また、例えば、判定／制御部によって、人感センサから得られた情報を解析することで、人が神棚１００の前で礼をしたかどうかを判定させてもよい。この場合において、神棚１００を設置する高さを判定／制御部に入力させてもよい。
【００１８】
［第２の実施の形態］
本考案の第２の実施の形態による神棚２００について、図２を用いて説明する。
【００１９】
図２は、神棚２００の略図である。上段の図は、神棚２００を正面から見た略図であり、中段の図は、神棚２００を上方から見た略図であり、下段の図は、神棚２００を右方から見た略図である。また、図中に示す隠れ線（破線）は、右側開き戸部２０１ａ、中央引き戸部２０１ｂ、左側開き戸部２０１ｃ、及び収納部２０３の一部の形状を示している。
【００２０】
神棚２００は、木材で構成された右側開き戸部２０１ａ、中央引き戸部２０１ｂ、左側開き戸部２０１ｃ、及び収納部２０３を有している。右側開き戸部２０１ａ、中央開き戸部２０１ｂ、及び左側開き戸部２０１ｃには、木曾ヒノキ無垢の板材が用いられ、収納部２０３の外側表面には、立体的形状の装飾が施されておらず、ウレタン塗装を施した米ヒバの板材又はウレタン塗装鏡面仕上げが施されている中質繊維板が用いられ、収納部２０３の内側には、米ヒバ無垢の板材が用いられる。また、神棚２００を壁に設置する場合においては、所定の金具等で収納部２０３を壁に固定し、右側開き戸部２０１ａ、中央開き戸部２０１ｂ、及び左側開き戸部２０１ｃを収納部２０３の開口部に取り付ける。右側開き戸部２０１ａ、中央開き戸部２０１ｂ、及び／又は左側開き戸部２０１ｃが開くことで、収納部２０３のお札等を収納する収納空間が現れるように構成されている。なお、右側開き戸部２０１ａ、中央開き戸部２０１ｂ、及び左側開き戸部２０１ｃは、同じ構成であるため、以下の説明において中央開き戸部２０１ｂ及び左側開き戸部２０１ｃの説明を省略する。
【００２１】
収納部２０３は、外側上面板ｇ１、棚板ｇ２、外側右側面板ｇ３、外側左側面板ｇ４、外側背面板ｇ５、底板（１段目）ｈ１、及び底板（２段目）ｈ２を有し、外側上面板ｇ１、棚板ｇ２、外側右側面板ｇ３、外側左側面板ｇ４、及び外側背面板ｇ５で直方体状の箱が形成され、横長長方形状の開口面と略横長直方体状の収納空間を備えている。
【００２２】
棚板ｇ２の上面に、段差が生じるように、底板（１段目）ｈ１及び底板（２段目）ｈ２がそれぞれ設けられる。また、底板（１段目）ｈ１及び底板（２段目）ｈ２は、前方に突き出した３つの三角形（頂点の角度が約１４０度）が連なった形状を有し、底板（１段目）ｈ１の３つの三角形の形状部分のそれぞれに、右側開き戸部２０１ａ、中央引き戸部２０１ｂ、及び左側開き戸部２０１ｃが設けられる。また、収納部２０３は、お札と榊立て、平子、水玉、皿等の神具を仕切るための仕切板ｊ１が底板（２段目）ｈ２に設けられている。
【００２３】
右側開き戸部２０１ａは、右戸板ｆ１及び左戸板ｆ２を有し、収納部１０３の開口部に配設される。右戸板ｆ１の右端部が軸材によって外側上面板ｇ１及び底板（１段目）ｈ１に取り付けられ、左戸板ｆ２の左端部が軸材によって外側上面板ｇ１及び底板（１段目）ｈ１に取り付けられる。また、右側開き戸部２０１ａは、右戸板ｆ１及び左戸板ｆ２が閉じた状態において、右戸板ｆ１の左端と左戸板ｆ２の右端が約１４０度の角度で当接し、右戸板ｆ１の左端と左戸板ｆ２の右端は、収納部２０３の開口面よりも後方に位置するように構成される。また、右戸板ｆ１及び左戸板ｆ２が閉じた状態において、右戸板ｆ１及び／又は左戸板ｆ２が後方に回転しないように右戸板ｆ１及び左戸板ｆ２が底板（２段目）ｈ２の前端面に当接している。このように右戸板ｆ１及び左戸板ｆ２を設けることで、収納空間を広く確保しつつも右戸板ｆ１及び／又は左戸板ｆ２によって遮蔽される空間を小さくすることができる。また、底板（１段目）ｈ１を設けることで、右側開き戸部２０１ａの開閉の際に摩擦音が発生しやすくなる場合がある。なお、右戸板ｆ１及び左戸板ｆ２との摩擦を高めるように底板（１段目）ｈ１の表面加工を施すことで、より右側開き戸部２０１ａの開閉の際の摩擦音を発生させる場合があってもよい。また、左戸板ｆ２の右下端には、切り欠き部が設けられている。当該切り欠き部に指をひっかけることで、取っ手を設けなくても、右側開き戸部２０１ａを容易に開くことができる。なお、右戸板ｆ１の左下端に同様の切り欠き部を設ける構成であってもよい。
【００２４】
神棚２００は、上記実施の形態に限らず種々の変形が可能である。例えば、収納部２０３の開口部に設ける開き戸部は、１個であってもよいし、２個であってもよいし、３個以上であってもよい。また、例えば、所定の電源（例えば、家庭用の電源や電池等）、駆動部を用いて、電動で右側開き戸部２０１ａ、中央開き戸部２０１ｂ、及び／又は左側開き戸部２０１ｃの開閉動作が行われるように構成されてもよい。また、神棚２００に音センサや人感センサを搭載することで、神棚２００の前で所定の動作（例えば、所定の位置で二拍手、三拍手、あるいは四拍手する動作）が行われると右側開き戸部２０１ａ、中央開き戸部２０１ｂ、及び／又は左側開き戸部２０１ｃの開閉動作が行われるように構成されてもよい。人感センサによって、人が所定の位置に位置していることを検知し、音センサによって、所定の回数の拍手が行われたことを検知し、これらの情報を基に所定の動作が行われたかどうかを判定する判定／制御部を設けると共に、判定／制御部によって右側開き戸部２０１ａ、中央開き戸部２０１ｂ、及び／又は左側開き戸部２０１ｃの開閉動作の制御を行うように構成してもよい。また、例えば、判定／制御部によって、人感センサから得られた情報を解析することで、人が神棚２００の前で礼をしたかどうかを判定させてもよい。この場合において、神棚２００を設置する高さを判定／制御部に入力させてもよい。
【００２５】
本考案は、上述の実施の形態に限らず種々の変形が可能である。また、上述の各実施の形態は、本考案の好適な一例であるので、技術的に好ましい種々の限定が付されているが、本考案の範囲は、上述の説明によって不当に限定されるものではない。また、上述の各実施の形態で説明される構成の全てが本考案の必須の構成要件ではない。また、上述の各実施の形態で説明される構成は相互に組み合わせることが可能である。
【産業上の利用可能性】
【００２６】
本考案は、神棚、特に棚及びお宮を備える神棚において広く利用可能である。
【符号の説明】
【００２７】
１００  神棚
１０１ａ  右側引き戸部
１０１ｂ  左側引き戸部
ａ０  戸板
ａ１  外側上面板
ａ２  外側下面板
ａ３  外側右側面板
１０３  収納部
ｃ１  天井板
ｃ２  棚板
ｃ３  右側面板
ｃ４  左側面板
ｃ５  背面板
ｄ１  仕切板
ｅ１  上枠
ｅ２  下枠
ｒ１、ｒ２ａ、ｒ２ｂ  レール部
２００  神棚
２０１ａ  右側開き戸部
２０１ｂ  中央引き戸部
２０１ｃ  左側開き戸部
ｆ１  右戸板
ｆ２  左戸板
２０３  収納部
ｇ１  外側上面板
ｇ２  棚板
ｇ３  外側右側面板
ｇ４  外側左側面板
ｇ５  外側背面板
ｈ１  底板（１段目）
ｈ２  底板（２段目）
ｊ１  仕切板
【図１】
0003208119.tif 000003
【図２】
0003208119.tif 000004